(57)【特許請求の範囲】
【請求項１】
フェース面を正面視した正面図の面内でソール面のトウ側とヒール側との隙間が等しい状態でソール面を水平面に接地したときにできるシャフトの傾斜角をライ角とし、このソール状態でのクラブのシャフトの軸線に対するフェースの傾きをロフト角としてクラブを正しくセットした状態においてフェース面がターゲット方向に対して左を向くウッド型のゴルフクラブヘッドにおいて、
上記正面図の面内でライ角を減少させて５０度と４０度のライ角にアドレスしたとき、フェース側に対してバックサイド側のソール面が地面からより高く位置するようにソール面をフェース側のソール面最下位部分からバックサイド側に広がる扇型状に夫々切削し、
上記ライ角を４１度から４９度に順次変更して、フェース側に対してバックサイド側のソール面が地面から上記と同様の高さとなるようにソール面をフェース側のソール面最下位部分からバックサイド側に広がる扇型状に逐次切削し、
ライ角が４０及至５０度となるようにソール面の切削面を水平な地面上に載置してアドレスした際にフェース面の向きがターゲット方向に対しスクウェアになることを特徴とするゴルフクラブヘッド。
【請求項２】
上記ライ角が４０及至５０度となるアドレス時にフェース側に対してバックサイド側のソール面が地面からより高く位置するときのソール角度を３度にしたことを特徴とする請求項１に記載のゴルフクラブヘッド。
【請求項３】
フェース面を正面視した正面図の面内でソール面のトウ側とヒール側との隙間が等しい状態でソール面を水平面に接地したときにできるシャフトの傾斜角をライ角とし、このソール状態でのシャフトの軸線に対するフェースの傾きをロフト角としてクラブを正しくセットした状態においてフェース面がターゲット方向に対して右を向くウッド型のゴルフクラブヘッドにおいて、
上記ライ角を減少させて５０度と４０度のライ角にアドレスしたとき、バックサイド側に対してフェース側のソール面が地面からより高く位置するようにソール面の最下位部分が接地するようにフェース側からバックサイド側に向かって漸次盛り上げられた盛り上がり部を夫々設け、
上記正面図の面内でライ角を４１度から４９度に順次変更して、バックサイド側に対してフェース側のソール面が地面から上記と同様の高さとなるようにソール面の最下位部分が接地するようにフェース側からバックサイド側に向かって漸次盛り上げられた盛り上がり部を逐次設け、
ライ角が４０及至５０度となるようにソール面の盛り上がり部を水平な地面上に載置してアドレスした際にフェース面の向きがターゲット方向に対しスクウェアになることを特徴とするゴルフクラブヘッド。
【請求項４】
上記ライ角が４０及至５０度となるアドレス時にバックサイド側に対してフェース側のソール面が地上からより高く位置するときのソール角度を３度としたことを特徴とする請求項３に記載のゴルフクラブヘッド。
【発明の詳細な説明】
【０００１】
【発明の属する技術分野】
本発明は、ウッド型ゴルフクラブのヘッド形状の改良に関する。
【０００２】
【従来の技術】
目標の方向に対して打球が右に大きく逸れるスライスや左に大きく逸れるフックの性向に悩むゴルファーが多く存在すると言われているが（但し、右打ちとする。以後同様）、その性向を個性として、クラブ側でその悩みを解決する一つの方法として、クラブヘッドのフェース面の向きをスライスの性向に悩む人にはフックフェース、フックに悩む人にはスライスフェースに形成することが行われている。実際、この方法で取り敢えず満足しているゴルファーが多いのが現状である。
【０００３】
この方法の理屈は、例えば、スライスに悩むゴルファーを例にとれば、スライスの原因は、たとえアドレスの際にフェース面の向きをターゲット方向にスクウエアに構えたとしても、クラブをスイングしてボールをインパクトする際にはフェース面の向きがターゲット方向に対し右向きに開いているためであるとして、アドレスの際にフェース面の向きがターゲット方向に対して左向きに閉じる（即ち、フックに）ように予めヘッドを形成しておいてやれば、インパクトではフェース面の向きがターゲット方向にスクエアとなって打球が真っ直ぐに飛ぶというものであり、極めて納得出来るものである。
【０００４】
【発明が解決しようとする課題】
しかるに、前記した従来の方法によるクラブでは、ボールを打撃した結果の球筋にのみ重きを置いているために、アドレスの際にヘッドのフェース面の向きがターゲット方向に対して極端にフック（又は、スライス）に見える違和感については目を瞑ってきたといえる。換言すれば、使用者にこの違和感を諦めてもらっているという問題がある。
従って、このような実状に鑑みて、本発明の目的とするところは、スライスやフックの性向を持つゴルファーであってもインパクトでフェース面がスクエアとなってその性向が矯正され、しかもアドレスでフェース面の向きがスクエアと成るゴルフクラブヘッドを提供することである。
【０００５】
【課題を解決するための手段】
上記目的を達成するため、本発明は、フェース面を正面視した正面図の面内でソール面のトウ側とヒール側との隙間が等しい状態でソール面を水平面に接地したときにできるシャフトの傾斜角をライ角とし、このソール状態でのクラブのシャフトの軸線に対するフェースの傾きをロフト角としてクラブを正しくセットした状態においてフェース面がターゲット方向に対して左を向くウッド型のゴルフクラブヘッドにおいて、上記正面図の面内でライ角を減少させて５０度と４０度のライ角にアドレスしたとき、フェース側に対してバックサイド側のソール面が地面からより高く位置するようにソール面をフェース側のソール面最下位部分からバックサイド側に広がる扇型状に夫々切削し、上記ライ角を４１度から４９度に順次変更して、フェース側に対してバックサイド側のソール面が地面から上記と同様の高さとなるようにソール面をフェース側のソール面最下位部分からバックサイド側に広がる扇型状に逐次切削し、ライ角が４０及至５０度となるようにソール面の切削面を水平な地面上に載置してアドレスした際にフェース面の向きがターゲット方向に対しスクウェアになるようにしたものである。
【０００６】
また、本発明は、フェース面を正面視した正面図の面内でソール面のトウ側とヒール側との隙間が等しい状態でソール面を水平面に接地したときにできるシャフトの傾斜角をライ角とし、このソール状態でのシャフトの軸線に対するフェースの傾きをロフト角としてクラブを正しくセットした状態においてフェース面がターゲット方向に対して右を向くウッド型のゴルフクラブヘッドにおいて、上記正面図の面内でライ角を減少させて５０度と４０度のライ角にアドレスしたとき、バックサイド側に対してフェース側のソール面が地面からより高く位置するようにソール面の最下位部分が接地するようにフェース側からバックサイド側に向かって漸次盛り上げられた盛り上がり部を夫々設け、上記ライ角を４１度から４９度に順次変更して、バックサイド側に対してフェース側のソール面が地面から上記と同様の高さとなるようにソール面の最下位部分が接地するようにフェース側からバックサイド側に向かって漸次盛り上げられた盛り上がり部を逐次設け、ライ角が４０及至５０度となるようにソール面の盛り上がり部を水平な地面上に載置してアドレスした際にフェース面の向きがターゲット方向に対しスクウェアになるようにしたのものである。
【０００７】
例えば、スライス性向のゴルファーの場合では、ライ角が４０及至５０度となるアドレス時にフェース側に対してバックサイド側のソール面が地面からより高く位置するときのソール角度を３度にする。
【０００８】
また、フック性向のゴルファーの場合には、ライ角が４０及至５０度となるアドレス時にバックサイド側に対してフェース側のソール面が地上からより高く位置するときのソール角度を３度にする。
【０００９】
図７は、種々の身長のゴルファーに対してアドレス姿勢のライ角度の実態を調査したものである。図より、身長に拘らずアドレス姿勢のライ角度は４０〜５０度の範囲に有ることが判る。一方、ウッドクラブの正規のライ角は、通常５５〜５６度に設計されていることから、アドレス姿勢では、正規のライ角より約１０度程度低く構えられていることが判る。
【００１０】
尚、正規のライ角及び正規のロフト角とは、著名な文献、Ｇｏｌｆ  ＣｌｕｂＤｅｓｉｇｎ，Ｆｉｔｔｉｎｇ，Ａｌｔｅｒｎａｔｉｏｎ  ＆  Ｒｅｐａｉｒ（Ｒａｌｐｈ  Ｍａｌｔｂｙ著）にあるライ角、ロフト角の定義によるものであり、ライ角（θ）とは、フェースを正面視して、シャフト軸と地面との成す角度、ロフト角（φ）とは、クラブをヘッドのトウ側から見た際に、シャフト軸とフェース面の成す角度とし、通常ゴルフクラブのカタログなどに記載されている数値である。
【００１１】
【発明の実施の形態】
図１乃至６に基づいて、本発明に係る実施例を説明する。
図１（ａ）及び（ｂ）は、本発明に係る実施例１のゴルフクラブヘッドを正規のライ角とロフト角にセットした際の正面図及び底（下）面図である。
前記ヘッド１は、材質をチタニウム合金、体積を２７０ｃｃ（２７０ｃｍ3）とされ、また正規のライ角を５５度、正規のロフト角を１０度に設定されたドライバーヘッドとされている。
【００１２】
また、図１（ｂ）に示されるヘッド１の底面図において、フェース面５のセンター６（フェース面の図心、又は正規の状態でクラブヘッドを水平面にセットしたヘッドを正面視した際にソール面の接地点を通る鉛直線とクラブフェースの上下の輪郭線とが交わる交点間の距離を２分する点）を通るフェース面５の接線７は、ターゲット方向に垂直な線分８に対してフック側5度に傾斜するように設定されている。即ち、プレーヤー（右打ち）がヘッド１を上方より平面視した場合にフェース面５がターゲット方向に垂直な線分８に対して左向きに傾斜されている。尚、本発明において、ターゲット方向とは、打球を飛ばす目標方向を指すものとする。
【００１３】
而して、実施例１のヘッド１においては、アドレスでのフェース面５がターゲット方向にスクエア（垂直）となるように、クラブを４０乃至５０度のライ角にセットした際に、フェース側１０に対してバックサイド側１１のソール面２が地面からより高く位置するようにヘッド１のソール面２が、以下に説明する手順によって、そのフェース側１０からバックサイド側１１に向かって広がる扇型状に切削されている（図１（ｂ）中、斜線部分）。
【００１４】
先ず、図１（ａ）のように正規のライ角、ロフト角通りにクラブヘッドをセットした後、図２（ａ）のようにライ角がアドレス姿勢でのライ角になるようにフェース面を正面視した正面図の面内でクラブを回転してライ角５０度に設定しておき、図２（ｃ）のトウ９側から見た側面図に示すソール角度（ω）が3度になるように、ソール面２がフェース側１０からバックサイド側１１に広がる扇型状に切削される（図２（ｂ）中、斜線部分）。
【００１５】
次に、図３（ａ）のように、前記図２と同様にしてクラブヘッド１のライ角を４０度に設定しておき、図３（ｃ）のトウ９側から見た側面図に示すソール角度（ω）が3度になるように、ソール面２がフェース側１０からバックサイド側１１に広がる扇型状に切削される（図３（ｂ）中、斜線部分）。
尚、ソール角度（ω）とは、正規のライ角、ロフト角通りにクラブヘッドをセットした後、ライ角がアドレス姿勢でのライ角になるようにフェース面を正面視した正面図の面内でクラブを回転した際に、ソール面２の最下位部分１２を通りターゲット方向に平行な面１３（図２（ａ）又は図３（ａ）に示す）内に在るソール面の輪郭線を表す線分１４が、前記側面図において水平面３となす角度としている。
【００１６】
次に、クラブヘッド１を図２及び３と同様にしてライ角を４１度から４９度に順次変更して、前記側面図でのソール角度（ω）が３度になるように、ソール面２がフェース側１０からバックサイド側１１に広がる扇型状に逐次切削され、最後にこのように順次に切削されて多段状となった切削面１５が滑らかな一様な面になるように仕上げ加工が行われる。最終的に仕上げられた切削面１５を図１（ｂ）に斜線で示す。
【００１７】
このようにして形成された実施例１のヘッドの効果を確認するために、実施例のヘッドに所定のシャフトと及びグリップを装着したクラブを製作すると共に、材質、体積、正規のライ角、正規のロフト角及びフェース角の値を実施例と同一とするが、ソール面に前記切削面を持たないヘッドを準備して実施例と同一のシャフト、グリップを装着した比較例のクラブを製作して、７名のゴルファーによってアドレス姿勢での感覚を調査した。
結果は、アドレス時、即ち、アドレス姿勢でソール面を水平な地面上に安定して載置した際に、比較例のクラブでは、ターゲット方向に対してフェース面が過度に左に向いて見えるため、強い違和感が訴えられたのに対し、実施例のクラブについては、全員がそのような違和感を訴えることがなかった。
【００１８】
次に、図４乃至６により、実施例２を説明する。
図４（ａ）及び（ｂ）は、本発明に係る実施例２のゴルフクラブヘッドを正規のライ角とロフト角にセットした際の正面図及び底（下）面図である。
前記ヘッド１は、その材質、体積、また正規のライ角（θ）、正規のロフト角（φ）を実施例１と同一としたドライバーヘッドとされている。
また、図４（ｂ）に示されるヘッド１の底面図において、フェース面５のセンター６を通るフェース面５の接線７は、ターゲット方向に垂直な線分８に対してスライス側5度に傾斜するように設定されている。即ち、プレーヤー（右打ち）がヘッド１を上方より平面視した場合にフェース面５がターゲット方向に垂直な線分８に対して右向きに傾斜されている。
【００１９】
而して、実施例２のヘッド１においては、アドレスでのフェース面５がターゲット方向にスクエア（垂直）となるように、クラブを４０乃至５０度のライ角でセットした際に、バックサイド側１１対してフェース側１０のソール面２が地面からより高く位置するようにソール面の最下位部分１２が、以下に説明する手順によって、アドレス姿勢で安定して接地するように、フェース側１０からバックサイド側１１に亘って盛り上げられている（図５、６斜線部分）。
【００２０】
先ず、図４（ａ）のように正規のライ角、ロフト角通りにクラブヘッドをセットした後、図５（ａ）のようにライ角がアドレス姿勢でのライ角になるようにフェース面を正面視した正面図の面内でクラブを回転してライ角５０度に設定しておき、図５（ｃ）のトウ９側から見た側面図に示すソール角度（ω）が3度になるように、またアドレス姿勢で安定してソール面２が接地するように、前記ソール面２の最下位部分１２にフェース側１０からバックサイド側１１に向かって漸次盛り上る盛り上がり部１６が設けられる。（図５（ｂ）中、斜線部分）。
【００２１】
次に、図６（ａ）のように、前記図５と同様にしてクラブヘッド１のライ角を４０度に設定しておき、図６（ｃ）のトウ９側から見た側面図に示すソール角度（ω）が3度になるように、またアドレス姿勢で安定してソール面２が接地するように、前記ソール面２の最下位部分１２に、フェース側１０からバックサイド側１１に向かって漸次盛り上る盛り上がり部１６が形成される（図６（ｂ）中、斜線部分）。
【００２２】
次に、同様にして、クラブヘッド１のライ角を４１度から４９度に順次変更して、前記側面図でのソール角度（ω）が３度になるように、またアドレス姿勢で安定してソール面２が接地するように、前記ソール面２の最下位部分１２に、フェース側１０からバックサイド側１１に向かって漸次盛り上る盛り上がり部１６が形成され、最後にこのように順次に盛り上げられて多段状となった盛り上がり部１６（図６（ｂ）参照）が滑らかな一様な面になるように仕上げ加工が行われる。最終的に仕上げられた盛り上がり部１６を図４（ａ）及び（ｂ）に示す。
尚、この実施例２のクラブを多数のゴルファーにテストさせたところ、従来品のスライスタイプのクラブの様にターゲット方向に対してフェース面が過度に右に向いて見えることがないために、安心してクラブをスイングすることが出来るとの評価が得られた。
【００２３】
尚、前記実施例１では、バックサイド側１１のソール面２が切削され、また実施例２ではバックサイド側１１のソール面２が盛り上げられたが、逆に、実施例１においては、フェース側１０のソール面２を盛り上げるようにし、又実施例２ではフェース側１０のソール面２を切削するようにしても良い。更にまた、前記のごとくソール面２の所定部分を盛り上げるの代わりに、その部分に下駄状の突起を付設することでも良い。
また、実施例では、フック又はスライス角度５度に対して、ソール角を３度としたが、それらの関係は、ソール形状やフェース面の前端からバックサイドの後端までのソール幅などの仕様に応じて適宜に変更される。
【００２４】
尚、本発明においては、シャフト本体やシャフトの一端に挿着されるグリップには、アドレスした際にフェース面の向きに関係なくクラブを正しくグリップする（握る）位置を指定したデザインが設けられていることが望ましい。
【００２５】
【発明の効果】
本発明によれば、スライス又はフックの性向を持つゴルファー向けとして提供されるフックフェース又はスライスフェースを具えたゴルフクラブヘッドにおいて、アドレス姿勢でソ−ル面を水平な地面上に安定して載置した際にフェ−ス面の向きがタ−ゲット方向に対してスクウエアとなるために、従来品の様なアドレスでの違和感が消滅して打ち易いゴルフクラブヘッドを提供する事が出来る。
しかも、インパクトにおいても、フェ−ス面はタ−ゲット方向にスクウエアとなるので、スライス性向又はフック性向の有るゴルファ−であっても打球をタ−ゲット方向に真っ直ぐに飛行させることが出来る。
【図面の簡単な説明】
【図１】実施例１のヘッドの正面図および底（下）面図である。
【図２】実施例１のソール面をアドレスライ角５０度で加工する方法を示す図である。
【図３】実施例１のソール面をアドレスライ角４０度で加工する方法を示す図である。
【図４】実施例２のヘッドの正面図および底（下）面図である。
【図５】実施例２のソール面をアドレスライ角５０度で加工する方法を示す図である。
【図６】実施例２のソール面をアドレスライ角４０度で加工する方法を示す図である。
【図７】ゴルファーアの身長差によるアドレス姿勢でのライ角度の分布を示す図である。
【符号の説明】
１  ヘッド
２  ソール面
３  水平面
４  シャフト軸
５  フェース面
６  センター
７  接線
８  垂直な線分
９  トウ
１０  フェース側
１１  バックサイド側
１２  ソール面の最下位部分
１３  （ターゲット方向に）平行な面
１４  ソール面の輪郭線を表す線分
１５  切削面
１６  盛り上がり部
【図１】
0004298873.tif 000002
【図２】
0004298873.tif 000003
【図３】
0004298873.tif 000004
【図４】
0004298873.tif 000005
【図５】
0004298873.tif 000006
【図６】
0004298873.tif 000007
【図７】
0004298873.tif 000008